(57)【要約】【課題】ワンタッチダイヤルキーを使用して複数の宛先を指定した画像情報の同報送信を可能とする。【解決手段】キー押下されることにより宛先が指定される複数のワンタッチダイヤルキーなどの予め記憶した宛先が関連づけられた宛先指定キー１１と、宛先指定キー１１が選択的に押下されると、選択された宛先指定キーを複数記憶可能に記憶するキー選択状態記憶部４１と、キー選択状態記憶部４１に記憶した複数の宛先指定キーを表示するタッチパネル表示部３２とを設け、複数の宛先指定キーを修正可能に表示させ、修正された宛先指定キーを再度キー選択状態記憶部４１に記憶させ、この宛先指定キーに基づいて、画像情報を同報送信する。【選択図】    図1
2013098679.tif 000002
【特許請求の範囲】
【請求項１】
入力された画像情報を送信する画像情報送信部と、
キー押下されることにより宛先が指定される複数の予め記憶した宛先が関連づけられた宛先指定キーと、
前記宛先指定キーが選択的に押下されると、選択された当該宛先指定キーを複数記憶可能に記憶するキー選択状態記憶部と、
前記キー選択状態記憶部に記憶した前記宛先指定キーを表示する表示部と、
前記キー選択状態記憶部に記憶した前記宛先指定キーを前記表示部に修正可能に表示させるとともに、修正された前記宛先指定キーを再度前記キー選択状態記憶部に記憶させ、前記キー選択状態記憶部に記憶された前記宛先指定キーに基づいて、前記画像情報を前記画像情報送信部で同報送信させる制御部を有することを特徴とする画像通信装置。
【請求項２】
前記宛先指定キー毎に一の宛先が記憶されたキー宛先記憶部を設け、
前記キー選択状態記憶部に記憶された複数の前記宛先指定キーに基づいて、前記キー宛先記憶部に記憶された宛先が複数指定され、前記複数の宛先宛に前記同報送信をさせることを特徴とする請求項１記載の画像通信装置。
【請求項３】
特定の宛先指定キーに対応して複数の宛先がグループとして記憶可能であるキー宛先記憶部を設け、
前記キー宛先記憶部に記憶した前記特定の宛先指定キーについて、前記宛先指定キーのキー押下により前記複数の宛先が指定され、前記複数の宛先宛に前記同報送信をさせることを特徴とする請求項１記載の画像通信装置。
【発明の詳細な説明】
【技術分野】
【０００１】
本発明は、ファクシミリ装置など指定した宛先に画像を送信する画像通信装置に関するものである。
【背景技術】
【０００２】
従来、ファクシミリ装置など指定した宛先に画像を送信する画像通信装置には、一般的に一つのダイヤルキーに一つの送信宛先の電話番号を登録し、一回のキー押下により宛先の指定が可能となるワンタッチダイヤルキーなどの予め記憶した宛先が関連づけられた宛先指定キーを備えている。このような宛先指定キーに予め宛先を登録しておけば、通常は１０回近くダイヤルを押下しなければならない宛先を迅速かつ簡便に指定することが可能となる。そして、この宛先指定キーで指定した宛先と、控え書類や原稿に記載してある宛先を照合して、送信可否を判断することにより、誤送信を防止する方法であった。
【０００３】
なお、特開２００８−１６７０９５号公報（特許文献１）には、短縮ダイヤルやワンタッチダイヤルを利用してファクシミリ送信の宛先を指定する場合に、誤送信を防止することができる技術が開示されている。特許文献１によれば、ワンタッチダイヤルによってファクシミリ送信する宛先番号を指定する宛先指定部と、原稿の所定領域に記載されている宛先番号を読み取る画像読取部を有し、宛先指定部で指定された宛先番号と画像読取部で読み取られた宛先番号とが一致しているときその原稿の送信を許可するというものである。
【先行技術文献】
【特許文献】
【０００４】
【特許文献１】特開２００８−１６７０９５号公報
【発明の概要】
【発明が解決しようとする課題】
【０００５】
しかしながら、従来の一般に知られた技術によれば、複数の宛先を指定したいわゆる同報送信をしようとするとき、ワンタッチダイヤルキーなどの予め記憶した宛先が関連づけられた宛先指定キーを使用してはこれができないという問題があった。
【０００６】
本発明が解決しようとする課題は、ファクシミリ装置など指定した宛先に画像を送信する画像通信装置において、ワンタッチダイヤルキーなどの予め記憶した宛先が関連づけられた宛先指定キーを使用して複数の宛先を指定した画像情報の同報送信を可能とするものである。
【課題を解決するための手段】
【０００７】
上記課題を解決するために本発明は、入力された画像情報を送信する画像情報送信部と、キー押下されることにより宛先が指定される複数の予め記憶した宛先が関連づけられた宛先指定キーと、前記宛先指定キーが選択的に押下されると、選択された当該宛先指定キーを複数記憶可能に記憶するキー選択状態記憶部と、前記キー選択状態記憶部に記憶した前記宛先指定キーを表示する表示部と、前記キー選択状態記憶部に記憶した前記宛先指定キーを前記表示部に修正可能に表示させるとともに、修正された前記宛先指定キーを再度前記キー選択状態記憶部に記憶させ、前記キー選択状態記憶部に記憶された前記宛先指定キーに基づいて、前記画像情報を前記画像情報送信部で同報送信させる制御部を有することを特徴とする画像通信装置である。
【発明の効果】
【０００８】
上記構成を有する本発明によれば、表示部に表示された宛先指定キーを修正可能に表示させ、修正された宛先指定キーを再度キー選択状態記憶部に記憶させ、キー選択状態記憶部に記憶された複数の宛先指定キーに基づいて宛先が指定されるようにしたので、ワンタッチダイヤルキーなどの予め記憶した宛先が関連づけられた宛先指定キーを使用して複数の宛先を指定した画像情報の同報送信が可能となる。
【図面の簡単な説明】
【０００９】
【図１】第１の実施の形態に関するＭＦＰのブロック図である。
【図２】第１の実施の形態に関するＭＦＰを示す外観図である。
【図３】第１の実施の形態に関する操作表示部の概要を示す説明図である。
【図４】第１の実施の形態に関する装置制御部の構成を示すブロック図である。
【図５】第１の実施の形態に関するＭＦＰの動作を示すフローチャートである。
【図６】第１の実施の形態に関するワンタッチダイヤルキー番号選択状態記憶部の記憶内容を示す説明図である。
【図７】第１の実施の形態に関するタッチパネル表示部の修正確認画面を示す説明図である。
【図８】第１の実施の形態に関するキー番号宛先番号記憶部を示す説明図である。
【図９】第２の実施の形態に関する記憶部のブロック図である。
【図１０】第２の実施の形態に関するＭＦＰの動作を示すフローチャートである。
【図１１】第２の実施の形態に関するキー番号宛先番号記憶部を示す説明図である。
【発明を実施するための形態】
【００１０】
（第１の実施の形態）
以下、本発明の第１の実施の形態について画像通信装置としてのＭＦＰ（Ｍｕｌｔｉ  Ｆｕｎｃｔｉｏｎ  Ｐｅｒｉｐｈｅｒａｌ）１００を例に説明する。本実施の形態では、画像通信装置の例としてＭＦＰを説明し、宛先指定キーの例としてＭＦＰのファクシミリ機能のワンタッチダイヤルキーを使用して説明する。図２は第１の実施の形態に関するＭＦＰ１００を示す外観図である。ＭＦＰ１００はコピー機能、プリンタ機能
ファクシミリ機能、スキャナ機能などの複数の機能を備えた複合型の画像通信装置である。そのうち本実施の形態はファクシミリ機能の同報送信に関する。画像形成部１０は図示しない印字媒体に画像形成を行なうプリンタ機能を有する。画像形成部１０は、スキャナ機能により得られた画像情報又はファクシミリ機能により受信した画像情報を印字媒体に可視化する。
【００１１】
画像読取部２０は原稿から画像情報を読取り電気信号に変換するスキャナ機能を有する。画像読取部２０は、画像形成部１０の上部に設けられた原稿自動送り部に原稿を自動送りして読み取るか又はフラットベッドに置かれた原稿を読み取ることにより、原稿から画像情報を得る。操作表示部３０は、ＭＦＰ１００の前面に設けられ、操作者による操作を受け付ける入力ボタン群３１及びタッチパネル表示部３２を有する。更に、タッチパネル表示部３２は、操作者の操作をガイドするための表示と後述するワンタッチダイヤルキー１１の表示を行う。
【００１２】
図１は第１の実施の形態に関するＭＦＰ１００のブロック図である。画像形成部１０は、前述のように画像読取部２０で読み取った原稿の画像情報を装置制御部６０の制御により印刷媒体に画像形成するとともに、画像情報送受信部５０で受信したファクシミリ画像情報を装置制御部６０の制御により印刷媒体に画像形成する。画像読取部２０は、原稿を読み取りデジタルデータ化した画像情報を、装置制御部６０の制御により画像情報送受信部５０へ出力する。
【００１３】
記憶部４０は、装置制御部６０によって実行されるプログラム及び固定的なデータを予め記憶するＲＯＭ及び装置制御部６０によるプログラム実行時に発生する一時的な作業用データを記憶するＲＡＭからなる。具体的には、本実施の形態に関する後述するキー選択状態記憶部としてのワンタッチダイヤルキー番号選択状態記憶部４１及びキー番号宛先番号記憶部４２を有する。画像情報送受信部５０では、画像読取部２０で読み取った画像情報を受け取り、これをファクシミリ信号とするか、又は図示しないパソコン用のスキャナ信号とする。前述のように画像読取部２０で読み取った原稿の画像情報を画像形成部１０で直ちに画像形成することもできる。
【００１４】
装置制御部６０は、操作表示部３０からの操作に基づいて、画像形成部１０、画像読取部２０、記憶部４０及び画像情報送受信部５０を制御する。本実施の形態に関しての装置制御部６０の機能は、操作表示部３０からの送信処理開始の指示を受取ったとき、画像読取部２０に対し画像読取りの開始を指示する。そして、画像読取部２０が読み取った画像情報を画像情報送受信部５０へ渡すよう指示する。画像情報送受信部５０は装置制御部６０からの指示により、ワンタッチダイヤルキー１１で指定したワンタッチダイヤルキー番号に対応する宛先番号へ画像情報を同報送信として送信する。操作表示部３０は、前述のように操作者による操作を受け付ける各種の入力キーを備えた入力ボタン群３１及びタッチパネル表示部３２を有する。
【００１５】
図３は第１の実施の形態に関する操作表示部３０の概要を示す説明図である。入力ボタン群３１は、スタートキー１２、ストップキー１３及びテンキー１４などを有する。タッチパネル表示部３２は、装置制御部６０からの指示によってその都度必要な入力キーを表示する。同図では宛先指定キーとしての本実施の形態に関するワンタッチダイヤルキー１１を表示していることを示す。
【００１６】
宛先指定キーとしてのワンタッチダイヤルキー１１は、各キー番号に対応して予め宛先番号を登録しておくことにより、一回のキー押下操作により、一の宛先番号の指定を可能とする。ワンタッチダイヤルキー１１は選択可能とするため複数の番号が表示される。本実施の形態では図示するようにワンタッチダイヤル番号（１〜１０）を表示する。操作者は複数の番号の内いずれかをタッチ（押下）することにより入力する。また、後述するように、複数回の押下操作により、複数の宛先番号の指定・削除を可能とする。こうして、ワンタッチダイヤルキー１１は宛先の指定の修正が可能である。キー番号と宛先番号との関係は、後に図８のキー番号宛先番号記憶部４２において説明する。
【００１７】
スタートキー１２は、入力されたワンタッチダイヤルキー１１の入力件数の計数するために操作する。更に、同報送信又は通常の送信の送信処理開始のために操作する。ストップキー１３は送信動作中又はスキャナ動作中のＭＦＰ１００の動作を停止させるために操作する。テンキー１４は、ワンタッチダイヤルキー１１を使用しないで宛先番号を入力するために操作する。
【００１８】
図４は第１の実施の形態に関する装置制御部６０の構成を示すブロック図である。同図は本実施の形態に関する装置制御部６０の主な機能のみ示す。装置制御部６０の押下状態監視部６１は、操作表示部３０のワンタッチダイヤルキー１１及びスタートキー１２などの押下状態を監視する。件数計数・判定部６２は操作表示部３０のワンタッチダイヤルキー１１が押下された件数をカウントし、かつスタートキー１２が押下されるとワンタッチダイヤルキー１１の押下件数のカウントを終了する。そして、ワンタッチダイヤルキー１１の押下件数が１件か複数件か判定する。
【００１９】
そして、ワンタッチダイヤルキー番号修正制御部６３は、押下されたワンタッチダイヤルキー番号の修正を制御する。即ち、操作表示部３０からの修正操作に基づいて、まず後述するワンタッチダイヤルキー番号選択状態記憶部４１に記憶されたワンタッチダイヤルキー番号の選択状態を読み出す。そして、タッチパネル表示部３２に表示するよう指示する。そして、操作表示部３０からの追加・削除の指示を受け付け、タッチパネル表示部３２の表示を変更するよう指示し、最後にワンタッチダイヤルキー番号選択状態記憶部４１に記憶されたワンタッチダイヤルキー番号の選択状態を変更するよう指示する。メモリ制御部６４は記憶部４０に対する書き込み、読み出しを指示する。制御部６５はこれらの各部の動作を制御する。
【００２０】
図５は第１の実施の形態に関するＭＦＰ１００の動作を示すフローチャートである。同図を用いて動作を説明する。なお同図のステップ１０１の前に、制御部６５は、ワンタッチダイヤルキー番号修正制御部６３に対し、操作表示部３０のタッチパネル表示部３２にワンタッチダイヤルキー１１の表示を行うよう指示しているものとする。
【００２１】
Ｓ１０１：装置制御部６０の制御部６５は、押下状態監視部６１に対し、ワンタッチダイヤルキー（同図においてはワンタッチキーと記載。以下同じ）１１が押下されたか監視するよう指示する。押下状態監視部６１が複数あるワンタッチダイヤルキー１１の選択的押下を確認すると次のステップに進む。
【００２２】
Ｓ１０２：押下状態監視部６１がワンタッチダイヤルキー１１の押下を確認すると、制御部６５は件数計数・判定部６２に対し、選択されて押下されたワンタッチダイヤルキー１１の件数のカウントを開始するよう指示する。
【００２３】
Ｓ１０３：同時に、装置制御部６０の制御部６５はメモリ制御部６４に対し、押下されたワンタッチダイヤルキー１１のワンタッチダイヤルキー番号の選択状態を記憶部４０のワンタッチダイヤルキー番号選択状態記憶部４１に記憶するよう指示する。記憶部４０は押下されたワンタッチダイヤルキー番号をワンタッチダイヤルキー番号選択状態記憶部４１に記憶する。
【００２４】
ここでワンタッチダイヤルキー番号選択状態記憶部４１の記憶内容について説明する。図６は第１の実施の形態に関するワンタッチダイヤルキー番号選択状態記憶部４１の記憶内容を示す説明図である。ワンタッチダイヤルキー１１のワンタッチダイヤルキー番号は１番から１０番まで設けられている。ステップ１０１において、選択的押下が確認されたワンタッチダイヤルキー番号は、仮に１番、２番及び５番であるとする。ワンタッチダイヤルキー番号１、２及び５に対応する宛先に同報送信を意図している。
【００２５】
Ｓ１０４に戻り：装置制御部６０の制御部６５は、押下状態監視部６１に対し、スタートキー１２が押下されたか監視するよう指示する。押下状態監視部６１がスタートキー１２の押下を確認すると次のステップに進む。
【００２６】
Ｓ１０５：押下状態監視部６１がスタートキー１２の押下を確認すると、制御部６５は件数計数・判定部６２に対し、ワンタッチダイヤルキー１１の押下された件数のカウントを停止するよう指示する。そして、制御部６５は件数計数・判定部６２に対し、ワンタッチダイヤルキー１１の押下された件数が１件か複数件か判定するよう指示する。押下された件数が１件のときはステップ１１４へ移行し、押下された件数が複数件のときはステップ１０７へ進む。
【００２７】
Ｓ１０６：制御部６５は、メモリ制御部６４に対し、記憶部４０のワンタッチダイヤルキー番号選択状態記憶部４１からワンタッチダイヤルキー番号の選択状態を読み出すよう指示する。
【００２８】
Ｓ１０７： ワンタッチダイヤルキー１１の押下された件数が複数件のとき、制御部６５は、ワンタッチダイヤルキー番号修正制御部６３に対し、操作表示部３０のタッチパネル表示部３２にワンタッチダイヤルキー番号選択状態記憶部４１から読み出したワンタッチダイヤルキー番号の選択状態を表示するよう指示する。これにより操作者は、タッチパネル表示部３２を見て、ワンタッチダイヤルキー番号の選択状態を確認することができる。
【００２９】
Ｓ１０８：装置制御部６０の制御部６５は、押下状態監視部６１に対し、ワンタッチダイヤルキー１１又はスタートキー１２が押下されたか監視するよう指示する。ワンタッチダイヤルキー１１が押下された場合は次へ進み、スタートキー１２が押下された場合はステップ１１３へ移行し、押下がない場合は監視を繰り返す。
【００３０】
Ｓ１０９：押下状態監視部６１がワンタッチダイヤルキー１１の押下を検出した場合、制御部６５は、押下状態監視部６１に対し、押下されたワンタッチダイヤルキー番号を知らせるよう指示する。そして、制御部６５はメモリ制御部６４に対し、押下されたワンタッチダイヤルキー１１のワンタッチダイヤルキー番号について記憶部４０のワンタッチダイヤルキー番号選択状態記憶部４１を書き換えるよう指示する。
【００３１】
Ｓ１１０：記憶部４０は、メモリ制御部６４からの指示に従って、ワンタッチダイヤルキー番号選択状態記憶部４１を書き換える。
【００３２】
Ｓ１１１：制御部６５は、メモリ制御部６４に対し、記憶部４０のワンタッチダイヤルキー番号選択状態記憶部４１からワンタッチダイヤルキー番号の選択状態を再度読み出すよう指示する。
【００３３】
Ｓ１１２：制御部６５は、ワンタッチダイヤルキー番号修正制御部６３に対し、操作表示部３０のタッチパネル表示部３２にワンタッチダイヤルキー番号選択状態記憶部４１から読み出したワンタッチダイヤルキー番号の選択状態を再度表示するよう指示する。これにより操作者は、タッチパネル表示部３２を見て、ワンタッチダイヤルキー番号の選択状態を再度確認することができる。その後ステップ１０８へ戻る。
【００３４】
ここで、タッチパネル表示部３２の修正確認画面の表示例について説明する。図７は第１の実施の形態に関するタッチパネル表示部３２の修正確認画面を示す説明図である。上段の修正確認画面３２−１には修正前のワンタッチダイヤルキー番号が表示されている。即ち、ワンタッチダイヤルキー１１のワンタッチダイヤルキー番号１番〜１０番のうち、ワンタッチダイヤルキー番号１、２及び５が選択されている状態を示している。
【００３５】
次に、ワンタッチダイヤルキー番号５を削除するものとして、同５が押下される。同図に示すように、中段の修正確認画面３２−２にワンタッチダイヤルキー番号５が削除され、ワンタッチダイヤルキー番号１及び２が選択されたまま残されている。
【００３６】
その後、ワンタッチダイヤルキー番号８を追加するものとして、同８が押下される。同図に示すように、下段の修正確認画面３２−３にワンタッチダイヤルキー番号８が追加され、結局ワンタッチダイヤルキー番号１、２及び８が選択されている。
【００３７】
Ｓ１１３に戻り：ステップ１０８において、押下状態監視部６１がスタートキー１２の押下を検出した場合、装置制御部６０は、画像読取部２０に対し、原稿の画像読取りを開始するよう指示する。そして、読み取った画像情報を画像情報送受信部５０へ渡すよう指示する。そして、装置制御部６０は、画像情報送受信部５０に対し、ワンタッチダイヤルキー番号選択状態記憶部４１に格納している選択された複数のワンタッチダイヤルキー番号からこれに対応する複数の宛先番号を決定し、画像情報を順次同報送信するよう指示する。
【００３８】
ここでワンタッチダイヤルキー番号とこれに対応する宛先番号について説明する。図８は第１の実施の形態に関するキー番号宛先番号記憶部４２を示す説明図である。キー番号宛先番号記憶部４２には、ワンタッチダイヤルキー番号１〜１０に１対１に対応して宛先番号が記憶されている。装置制御部６０の制御部６５はメモリ制御部６４に対しワンタッチダイヤルキー番号、例えば１番、２番及び８番を指定して記憶部４０のキー番号宛先番号記憶部４２から宛先番号を読み出すよう指示する。すると、ワンタッチダイヤルキー番号１番、２番及び８番に対応する宛先番号として宛先番号０３−１２３４−△△△△、宛先番号０４４−２３４５−△△△△及び宛先番号０７７−３４５６−△△△△が読み出されることになる。
【００３９】
Ｓ１１４に戻り：ステップ１０５において、ワンタッチダイヤルキー１１の押下された件数が１件のとき、装置制御部６０は、画像読取部２０に対し、原稿の画像読取りを開始するよう指示する。その後、読み取った画像情報を画像情報送受信部５０へ渡すよう指示する。そして、装置制御部６０は、画像情報送受信部５０に対し、ワンタッチダイヤルキー番号選択状態記憶部４１に格納している１件のワンタッチダイヤルキー番号からこれに対応する宛先番号をキー番号宛先番号記憶部４２から読み出し、これを決定して画像情報を送信するよう指示する。
【００４０】
Ｓ１１５：ステップ１１３又はステップ１１４において送信処理が完了すると、制御部６５はメモリ制御部６４に対し、記憶部４０のワンタッチダイヤルキー番号選択状態記憶部４１の記憶状態をクリアするよう指示する。
【００４１】
以上説明したように、第１の実施の形態によれば、ワンタッチダイヤルキー番号選択状態記憶部４１に記憶されたワンタッチダイヤルキー番号を修正可能に表示させ、修正されたワンタッチダイヤルキー番号をワンタッチダイヤルキー番号選択状態記憶部４１に再度記憶させ、記憶された修正後の複数のワンタッチダイヤルキー番号に基づいて、宛先番号が指定されるようにしたので、ワンタッチダイヤルキー１１を使用して複数の宛先を指定した画像情報の同報送信が可能となる。更に、同報送信において、スタートキーの押下は１回で済むので操作性が向上した画像通信装置を提供することが可能となる。
【００４２】
（第２の実施の形態）
次に、第２の実施の形態について説明する。第２の実施の形態に関するＭＦＰ１００を示す外観図は第１の実施の形態と同じであるので説明を省略する。第２の実施の形態に関するＭＦＰ１００のブロック図については、記憶部４３以外は第１の実施の形態と同じであるので説明を省略する。
【００４３】
図９は第２の実施の形態に関する記憶部４３のブロック図である。記憶部４３は、ワンタッチダイヤルキー番号選択状態記憶部４１及びキー番号宛先番号記憶部４４を有する。本実施の形態に関するワンタッチダイヤルキー番号選択状態記憶部４１はワンタッチダイヤルキー番号の選択状態を記憶する。具体的には図６で説明した第１の実施の形態と同じであるので説明を省略する。
【００４４】
本実施の形態に関するキー番号宛先番号記憶部４４は、後に図１１において示すように、１件のワンタッチダイヤルキー番号に対応して複数件の宛先番号が記憶可能である。従って、特定のワンタッチダイヤルキー番号例えば１０番にワンタッチダイヤルキー番号１番、２番及び８番の宛先番号が記憶されているので、グループ登録が可能となる。
【００４５】
図１０は第２の実施の形態に関するＭＦＰ１００の動作を示すフローチャートである。第２の実施の形態のステップ２０１からステップ２１４までは、第１の実施の形態のステップ１０１からステップ１１４までと同じであるので説明を省略する。
【００４６】
Ｓ２１５：ステップ２１３において、同報送信処理が行われると、装置制御部６０の制御部６５は、ワンタッチダイヤルキー番号修正制御部６３に対し、同報送信した複数の宛先について、グループ登録をするかどうかの確認画面を表示するよう指示する。グループ登録は、ワンタッチダイヤルキー番号に未登録（空き）の宛先番号があるときに行うことができる。同時に制御部６５は押下状態監視部６１に対して、操作者によるグループ登録を選択するかどうかの押下を監視するよう指示する。操作者がグループ登録を行うことを選択するときは次に進み、グループ登録を行わないことを選択したときはステップ２１７へ移行する。
【００４７】
Ｓ２１６：グループ登録を行うことを選択したときは、制御部６５はメモリ制御部６４に対して、キー番号宛先番号記憶部４４の未登録のワンタッチダイヤルキー番号（仮に１０番）に相当する宛先番号欄に複数の宛先番号を格納するよう指示する。
【００４８】
図１１は第２の実施の形態に関するキー番号宛先番号記憶部４４を示す説明図である。キー番号宛先番号記憶部４４には、ワンタッチダイヤルキー番号１〜８に１対１に対応して宛先番号が記憶されているとする。そして、未登録のワンタッチダイヤルキー番号（１０番）に相当する宛先番号欄にワンタッチダイヤルキー番号１、２及び８の宛先番号０３−１２３４−△△△△、宛先番号０４４−２３４５−△△△△及び宛先番号０７７−３４５６−△△△△が格納されることになる。こうすることにより、同報送信としてのワンタッチダイヤルキー番号１０が登録することができる。
【００４９】
即ち、操作者は次の同報送信のとき、ワンタッチダイヤルキー番号１０を押下することにより、装置制御部６０の制御部６５はメモリ制御部６４に対しワンタッチダイヤルキー番号１０番を指定して記憶部４０のキー番号宛先番号記憶部４４から宛先番号を読み出すよう指示する。すると、キー番号宛先番号記憶部４４から宛先番号０３−１２３４−△△△△、宛先番号０４４−２３４５−△△△△及び宛先番号０７７−３４５６−△△△△が読み出されることになる。
【００５０】
Ｓ２１７に戻り：制御部６５はメモリ制御部６４に対し、記憶部４０のワンタッチダイヤルキー番号選択状態記憶部４１の記憶状態をクリアするよう指示する。
【００５１】
以上第２の実施の形態によれば、ワンタッチダイヤルキー番号選択状態記憶部４１に記憶されたワンタッチダイヤルキー番号を修正可能に表示させ、修正されたワンタッチダイヤルキー番号をワンタッチダイヤルキー番号選択状態記憶部４１に再度記憶させ、記憶された修正後の複数のワンタッチダイヤルキー番号に基づいて、宛先番号が指定されるようにしたので、ワンタッチダイヤルキー１１を使用して複数の宛先を指定した画像情報の同報送信が可能となる。更に、同報送信において、スタートキーの押下は１回で済むので操作性が向上した画像通信装置を提供することが可能となる。更にまた、同報送信において、ワンタッチダイヤルキーにグループ登録することができるので、複数の宛先番号の指定が一回のキー押下で行うことができる。
【００５２】
以上の本発明の説明において、画像通信装置としてＭＦＰのファクシミリ機能を用いて説明したが、本発明はこれに限らない。即ち、パソコンの電子メールで画像を送信する場合も本発明に含まれるものである。この場合、前記実施の形態におけるキー番号宛先番号記憶部４２、４４に記憶する宛先番号は、電子メールのメールアドレスに読み替える。そしてキー番号宛先番号記憶部は、ワンタッチダイヤルキー番号１〜１０に１対１に対応して宛先メールアドレスが記憶されているキー番号宛先アドレス記憶部と読み替えるものとする。
【符号の説明】
【００５３】
１０        画像形成部
２０        画像読取部
３０        操作表示部
３１        入力ボタン群
３２        タッチパネル表示部
４０、４３  記憶部
４１        ワンタッチダイヤルキー番号選択状態記憶部
４２、４４  キー番号宛先番号記憶部
５０        画像情報送受信部
６０        装置制御部
６１        押下状態監視部
６２        件数計数・判定部
６３        ワンタッチダイヤルキー番号修正制御部
６４        メモリ制御部
１００      ＭＦＰ
【図１】
2013098679.tif 000003
【図２】
2013098679.tif 000004
【図３】
2013098679.tif 000005
【図４】
2013098679.tif 000006
【図５】
2013098679.tif 000007
【図６】
2013098679.tif 000008
【図７】
2013098679.tif 000009
【図８】
2013098679.tif 000010
【図９】
2013098679.tif 000011
【図１０】
2013098679.tif 000012
【図１１】
2013098679.tif 000013